(57)【要約】【課題】握力や腕力の弱い人および手や指等に障害を有する人でも、容易に且つ確実にペットボトル等の飲料容器に取り付けられた回転式キャップを取外すことが可能な回転式キャップ抜き具を提供する。【解決手段】略円筒状に形成され、先端部の開口部に飲料容器２３の首部が同軸状に挿入されるケース本体１と、当該ケース本体１の内部にこのケース本体１と同軸状に回転自在に設けられた回転軸５と、当該回転軸５を回転させるギヤードモータ２とを備えてなり、且つケース本体１の上記先端部の開口縁部に、飲料容器２３を固定する容器固定部１９が設けられ、ケース本体１内の回転軸５の先端部に、回転式キャップ２５を把持して回転軸５と一体的に回転可能であるとともに、回転式キャップ２５の開栓とともにケース本体１の基端部方向に移動可能なキャップ把持部１１が設けられていることを特徴とする。【選択図】図１
2011162254.tif 000002
【特許請求の範囲】
【請求項１】
飲料容器の開口部の螺子部に螺着された回転式キャップを取外す回転式キャップ抜き具であって、
略円筒状に形成され、先端部の開口部に上記飲料容器の首部が同軸状に挿入されるケース本体と、当該ケース本体の内部にこのケース本体と同軸状に回転自在に設けられた回転軸と、当該回転軸を回転させるモータとを備えてなり、
且つ上記ケース本体の上記先端部の開口縁部に、上記飲料容器を固定する容器固定部が設けられ、上記ケース本体内の上記回転軸の先端部に、上記回転式キャップを把持して上記回転軸と一体的に回転可能であるとともに、上記回転式キャップの開栓とともに上記ケース本体の基端部方向に移動可能なキャップ把持部が設けられていることを特徴とする回転式キャップ抜き具。
【請求項２】
上記キャップ把持部は、円柱状に形成され、その先端面に上記回転式キャップを挿入可能な凹部が形成されるとともに、当該凹部の内周面に上記回転式キャップを把持する把持用突起が形成され、且つ上記容器固定部は、その内径が上記キャップ把持部の外径より小さく形成されるとともに上記凹部の口径より大きく形成され、その内周面に上記飲料容器を固定する固定用突起が形成されていることを特徴とする請求項１に記載の回転式キャップ抜き具。
【請求項３】
上記キャップ把持部の中心には、軸線方向に貫通する貫通孔が穿設されるとともに、上記回転軸に連結する円筒状の連結部が設けられ、且つ上記貫通孔に押出し棒が上記凹部内に出没自在に挿通されるとともに、上記連結部の内部に上記押出し棒を上記凹部側に向けて付勢する付勢手段が設けられていることを特徴とする請求項１または請求項２に記載の回転式キャップ抜き具。
【請求項４】
上記回転軸に、上記連結部を同軸状に挿入可能な円筒状の案内筒が設けられ、当該案内筒の側面に軸線方向に延在するガイド孔が形成されるとともに、上記連結部の側面にガイド孔に挿入されるガイドピンが突設され、上記連結部が上記案内筒内において軸線方向に移動自在に配設されており、且つ上記付勢手段が上記回転軸と上記押出し棒との間に配設されていることを特徴とする請求項１〜請求項３のいずれかに記載の回転式キャップ抜き具。
【請求項５】
上記キャップ把持部は、凹部の口径が先端面から基端面に向けて漸次狭くなるように形成されてなることを特徴とする請求項１〜請求項４のいずれかに記載の回転式キャップ抜き具。
【請求項６】
上記容器固定部は、内径が先端面から基端面に向けて漸次狭くなるように形成されてなることを特徴とする請求項１〜請求項５のいずれかに記載の回転式キャップ抜き具。
【発明の詳細な説明】
【技術分野】
【０００１】
本発明は、ペットボトル等の飲料容器の開口部に取り付けられた回転式キャップを取外すための回転式キャップ抜き具に関するものである。
【背景技術】
【０００２】
一般に、飲料容器の一つであるペットボトルは、飲料を収容するペットボトル本体と、当該ペットボトル本体の開口部を塞ぐ回転式キャップによって構成されている。
【０００３】
そして、このペットボトルは、市販段階において、飲料の漏洩を防止するために、ペットボトル本体への回転式キャップの締付けを強くしている。また、不正な開封を防止するために、ペットボトル本体の開口部側にタンパーエビデンスリングを取り付けている等の対策が施されている。
【０００４】
このため、上記ペットボトル本体の開口部に取り付けられた回転式キャップを開栓するためには、０．１Ｎ・ｍ〜２．０Ｎ・ｍ程度のトルク（開栓トルク）が必要であった。
【０００５】
この結果、幼児や老人のように握力や腕力が弱い人、特に手や指等に障害を有する人は、上記飲料容器に取り付けられた回転式キャップを取外すことが非常に困難となることがあった。
【発明の概要】
【発明が解決しようとする課題】
【０００６】
本発明は、かかる事情に鑑みてなされたもので、握力や腕力の弱い人および手や指等に障害を有する人でも、容易に且つ確実にペットボトル等の飲料容器に取り付けられた回転式キャップを取外すことが可能な回転式キャップ抜き具を提供するものである。
【課題を解決するための手段】
【０００７】
上記課題を解決するために、請求項１に記載の本発明は、飲料容器の開口部の螺子部に螺着された回転式キャップを取外す回転式キャップ抜き具であって、略円筒状に形成され、先端部の開口部に上記飲料容器の首部が同軸状に挿入されるケース本体と、当該ケース本体の内部にこのケース本体と同軸状に回転自在に設けられた回転軸と、当該回転軸を回転させるモータとを備えてなり、且つ上記ケース本体の上記先端部の開口縁部に、上記飲料容器を固定する容器固定部が設けられ、上記ケース本体内の上記回転軸の先端部に、上記回転式キャップを把持して上記回転軸と一体的に回転可能であるとともに、上記回転式キャップの開栓とともに上記ケース本体の基端部方向に移動可能なキャップ把持部が設けられていることを特徴とするものである。
【０００８】
また、請求項２に記載の本発明は、請求項１に記載の回転式キャップ抜き具において、上記キャップ把持部は、円柱状に形成され、その先端面に上記回転式キャップを挿入可能な凹部が形成されるとともに、当該凹部の内周面に上記回転式キャップを把持する把持用突起が形成され、且つ上記容器固定部は、その内径が上記キャップ把持部の外径より小さく形成されるとともに上記凹部の口径より大きく形成され、その内周面に上記飲料容器を固定する固定用突起が形成されていることを特徴とするものである。
【０００９】
さらに、請求項３に記載の本発明は、請求項１または請求項２に記載の回転式キャップ抜き具において、上記キャップ把持部の中心には、軸線方向に貫通する貫通孔が穿設されるとともに、上記回転軸に連結する円筒状の連結部が設けられ、且つ上記貫通孔に押出し棒が上記凹部内に出没自在に挿通されるとともに、上記連結部の内部に上記押出し棒を上記凹部側に向けて付勢する付勢手段が設けられていることを特徴とするものである。
【００１０】
そして、請求項４に記載の本発明は、請求項１〜請求項３のいずれかに記載の回転式キャップ抜き具において、上記回転軸に、上記連結部を同軸状に挿入可能な円筒状の案内筒が設けられ、当該案内筒の側面に軸線方向に延在するガイド孔が形成されるとともに、上記連結部の側面にガイド孔に挿入されるガイドピンが突設され、上記連結部が上記案内筒内において軸線方向に移動自在に配設されており、且つ上記連結部内の付勢手段が上記回転軸と上記押出し棒との間に配設されていることを特徴とするものである。
【００１１】
また、請求項５に記載の本発明は、請求項１〜請求項４のいずれかに記載の回転式キャップ抜き具において、上記キャップ把持部の凹部の口径が、先端面から基端面に向けて漸次狭くなるように形成されてなることを特徴とするものである。
【００１２】
さらに、請求項６に記載の本発明は、請求項１〜請求項５のいずれかに記載の回転式キャップ抜き具において、上記容器固定部の内径が、先端面から基端面に向けて漸次狭くなるように形成されてなることを特徴とするものである。
【発明の効果】
【００１３】
請求項１に記載の本発明によれば、上記ケース本体の先端部の開口部に、上記回転式キャップをキャップ把持部に到達するまで挿入して、キャップ把持部に上記回転式キャップを把持させるとともに、容器固定部に上記飲料容器の首部を固定させる。
【００１４】
そして、上記ケース本体に取り付けられたモータを起動させると、回転軸を介して、その先端部に一体的に設けたキャップ把持部が軸線回り方向に回転する。これにより、上記飲料容器の首部が上記容器固定部に固定された状態で、上記回転式キャップのみに開栓方向に回転する力が作用する。この結果、幼児や老人のように握力や腕力が弱い人、特に手や指等に障害を有する人でも、上記回転式キャップを螺着した飲料容器に本発明の回転式キャップ抜き具を取り付け、上記モータを起動するという簡単な作業で、容易に上記飲料容器から上記回転式キャップを取外すことが可能となる。
【００１５】
また、上記キャップ把持部は、上記回転式キャップを開栓する際に、上記回転式キャップが飲料容器の首部の螺子部によって上昇することにより、ケース本体の基端部方向に向かう力が作用しても、基端部方向へと移動可能であるために、確実に上記飲料容器から上記回転式キャップを取り外すことが可能となる。
【００１６】
さらに、請求項２に記載の本発明によれば、容器固定部の内径が、上記キャップ把持部の外径より小さく形成されているために、上記キャップ把持部をケース本体外に突出させること無く、上記ケース本体内に保持することが可能となる。また、上記回転式キャップが挿入される上記凹部の口径より大きく形成されているために、上記回転式キャップが容器固定部を介して、上記ケース本体内に配設されたキャップ把持部の凹部へと挿入され、当該凹部の内周面に形成された把持用突起に上記回転式キャップが確実に把持されるとともに、上記飲料容器の首部が上記容器固定部の内周面に形成された固定用突起に確実に固定される。この結果、上記キャップ把持部および容器固定部が空回りすることが無くなり、より一層確実に上記飲料容器から上記回転式キャップを取り外すことが可能となる。
【００１７】
また、請求項３に記載の本発明によれば、開栓後、本発明に係る回転式キャップ抜き具から上記飲料容器を取り外す際に、上記連結部に設けられた付勢手段によって、押出し棒に上記キャップ把持部の凹部側に向かう力が作用するために、上記飲料容器を取り外すと、上記押出し棒によって上記回転式キャップが上記凹部外へと押し出される。この結果、キャップ把持部の把持用突起に把持された回転式キャップを容易に取り外すことが可能である。
【００１８】
また、請求項４に記載の本発明によれば、案内筒に形成された軸線方向に延在するガイド孔に沿って、上記連結部に突設されたガイドピンが移動可能であることにより、上記案内筒内において、上記連結部が軸線方向に移動自在に配設されているために、上記回転式キャップを開栓する際に、上記回転式キャップが飲料容器の首部の螺子部により上昇して、キャップ把持部に上記ケース本体の基端部方向に向かう力が作用しても、確実に上記キャップ把持部を上記ケース本体の基端部側へと移動させることが可能となる。
【００１９】
また、上記連結部内の付勢手段が回転軸と押出し棒との間に配設されているために、上記回転式キャップを取り外す際に、上記付勢手段によって、上記押出し棒を凹部側に押し出すと同時に、ケース本体の基端部側に移動した上記キャップ把持部を上記ケース本体の先端部側の初期位置へと移動させることが可能となる。
【００２０】
そして、請求項５に記載の本発明によれば、上記キャップ把持部の凹部の口径が、先端面から基端面に向けて漸次狭くなるように形成されているために、上記回転式キャップの外径が僅かながら大小しても、確実に上記回転式キャップを把持することが可能である。
【００２１】
さらに、請求項６に記載の本発明によれば、上記容器固定部の内径が、先端面から基端面に向けて漸次狭くなるように形成されているために、上記飲料容器の首部の外径が僅かながら大小しても、確実に上記飲料容器の首部を固定することが可能である。
【図面の簡単な説明】
【００２２】
【図１】本発明に係る回転式キャップ抜き具の一実施形態を示すものであり、（ａ）が縦断面図であり、（ｂ）が回転軸の左側面図である。
【図２】図１のＡ−Ａ端面図である。
【図３】図１のＢ−Ｂ端面図である。
【図４】図１を使用した状態を示す説明図である。
【発明を実施するための形態】
【００２３】
図１（ａ）は、本発明に係る回転式キャップ抜き具の一実施形態を示すものであり、図中符号１がケース本体である。
このケース本体１は、略円筒状に形成され、その基端部側の外径が先端部側の外径より小径に形成されており、これにより、上記基端部が上記回転式キャップ抜き具を把持する把持部となっている。
【００２４】
そして、ケース本体１の基端部には、ギヤードモータ２が取り付けられている。
【００２５】
ここで、ギヤードモータ２は、モータ３のシャフトに、内部に減速ギヤを備えたギアヘッド４を取り付けて構成されている。そして、このギアヘッド４の回転軸５がケース本体１と同軸状に挿入されており、当該回転軸５に案内筒６が同軸状に固定されている。なお、本実施形態においては、回転数を２０ｒ／ｍｉｎ、定格トルクを２．５Ｎ・ｍに設定したギヤードモータ２を使用している。
【００２６】
この案内筒６は、円筒状に形成され、先端部側の側面とケース本体１との間にジャーナル軸受７が設けられることにより、軸回り方向に回転自在となっている。さらに、図１（ｂ）に示すように、案内筒６の側面には、軸線方向に延在するガイド孔８が形成されている。そして、その内部に連結部９が同軸状に挿入されている。
【００２７】
この連結部９は、円筒状に形成されるとともに、側面に案内筒６のガイド孔８に嵌入されるガイドピン１０が設けられ、案内筒６内に軸線方向に移動自在に配設されている。そして、連結部９の先端部には、上記回転式キャップを把持するキャップ把持部１１が一体的に設けられている。
【００２８】
このキャップ把持部１１は、円柱状に形成されるとともに、先端面に上記回転式キャップを挿入可能な寸法（φ２７〜３８ｍｍ）の凹部１２が形成されている。そして、この凹部の口径が、先端面から基端面に向けて漸次狭くなる（本実施形態においては基端面φ２７ｍｍ、先端面φ２９ｍｍ）ように形成されている。また、この凹部１２の内周面には、上記回転式キャップを把持する把持用突起１３が等間隔に３個形成されている。なお、当該把持用突起１３には、図１に示すように、断面視において、軸線方向に延在する引掻き部２６が形成されている。当該引掻き部２６は、図２に示すように、端面視において、軸回り方向に６℃のピッチ間隔毎に形成されており、且つそれぞれの引掻き部２６が軸回り左方向に進むに連れて傾斜して構成されることにより、引掻き部２６の軸回り方向左側に段部２１が形成されている。
【００２９】
また、キャップ把持部１１の中心には、軸線方向に貫通する貫通孔１４が穿設され、その貫通孔１４に押出し棒１５が凹部１２内に出没自在となるように挿通されている。
【００３０】
この押出し棒１５は、円柱状に形成されるとともに、その基端部が他部より外径の大きな円板状に形成されることにより、貫通孔１４から押出し棒１５が抜け落ちることを防止するストッパー１６となっている。さらに、連結部９の内部において、当該ストッパー１６上にバネ部材（付勢手段）１７が配置され、バネ部材１７上にギヤードモータ２の回転軸５の先端に設けられ、バネ部材１７のケース本体１の基端部方向への移動を規制するストッパー部材１８が配置されていることにより、押出し棒１５が凹部１２側に向けて付勢されている。
【００３１】
一方、ケース本体１の先端部の開口縁部には、飲料容器を固定する容器固定部１９が設けられている。そして、容器固定部１９の内径がキャップ把持部１１の外径より小さい寸法に形成されるとともに、凹部１２の先端面側の口径より大きい寸法（φ３０〜４０ｍｍ）形成されている。さらに、容器固定部１９の内径が、先端から中段に向けて漸次狭くなり、中段から基端に向けて漸次広く（本実施形態においては基端面および先端面φ３１ｍｍ、中段部φ３０ｍｍ）なるように形成されている。そして、その内周面に上記飲料容器を固定する固定用突起２０が等間隔に３個形成されている。なお、当該固定用突起２０は、図１に示すように、断面視において、水平方向に対し右斜め４５℃方向に傾斜して延在する引掻き部２７が形成されている。当該引掻き部２７は、図３に示すように、端面視において、軸回り方向に８℃のピッチ間隔毎に形成されており、且つそれぞれの引掻き部２７が軸回り右方向に進むに連れて傾斜して構成されることにより、引掻き部２７の軸回り方向右側に段部２２が形成されている。
【００３２】
次に、本実施形態の回転式キャップ抜き具の作用を図４を用いて説明する。
先ず、上記回転式キャップ抜き具のケース本体１の上記把持部を把持して、ケース本体１の先端部の開口部に、回転式キャップ２５が取り付けられた飲料容器の首部を、回転式キャップ２５がキャップ把持部１１の凹部１２の基端部側に到達するまで挿入する。
【００３３】
これにより、ケース本体１内において、回転式キャップにより凹部１２内の押出し棒１２がケース本体の基端部方向へと押し込まれて、バネ部材１７が収縮する。さらに、キャップ把持部１１の把持用突起１３および引掻き部２６によって回転式キャップ２５が把持されるとともに、容器固定部１９の固定用突起２０および引掻き部２７によって飲料容器２３の首部２８および当該首部２８に設けられたタンパーエビデンスリング２４が固定される。
【００３４】
次いで、ケース本体１に取り付けられたギヤードモータ２を起動する。すると、回転軸５に設けられた案内筒６が反時計回り方向に回転し、そのガイド孔８に嵌入しているガイドピン１０を介して、連結部９が反時計回り方向に回転することにより、連結部９と一体的に設けられたキャップ把持部１１も反時計回り方向に回転する。
【００３５】
この結果、飲料容器２３の首部およびタンパーエビデンスリング２４が固定された状態で、回転式キャップ２５に開栓方向（反時計回り方向）に回転する力が作用することにより、飲料容器２３から回転式キャップ２５が取り外される。
【００３６】
次いで、開栓後、上記回転式キャップ抜き具を図中軸線方向上方に持ち上げて、容器固定部１９から飲料容器２３の首部２８およびタンパーエビデンスリング２４を取り外すと、キャップ把持部１１に回転式キャップ２５を取り付けた際に収縮したバネ部材１７の反発力により、押出し棒１５が凹部１２側に押し出され、当該押出し棒１５により回転式キャップ２５も凹部１２外へと押し出される。これにより、キャップ把持部１１の把持用突起１３および引掻き部２６から回転式キャップ２５が外れる。
【００３７】
以上の構成からなる回転式キャップ抜き具によれば、ギヤードモータ２を起動すると、その回転力が、回転軸５、案内筒６、連結部９を介して、当該連結部９に一体に形成されたキャップ把持部１１に伝達される。これにより、飲料容器２３の首部２８および当該首部２８に設けられたタンパーエビデンスリング２４が容器固定部１９に固定された状態で、キャップ把持部１１に把持された回転式キャップ２５に開栓方向に回転する力が作用する。この結果、幼児や老人のように握力や腕力が弱い人、特に手や指等に障害を有する人でも、回転式キャップ２５を螺着した飲料容器２４に本発明の回転式キャップ抜き具を取り付け、ギヤードモータ２を起動するという簡単な作業で、容易に飲料容器２３から回転式キャップ２５を取外すことが可能となる。
【００３８】
また、容器固定部１９の内径が、キャップ把持部１１の外径より小さく形成されているために、キャップ把持部１１をケース本体１外に突出させること無く、ケース本体１内に保持することが可能となる。また、回転式キャップ２５が挿入される凹部１２の口径より大きく形成されているために、回転式キャップ２５が容器固定部１９を介して、ケース本体１内に配設されたキャップ把持部１１の凹部１２へと挿入され、当該凹部１２の内周面に形成された把持用突起１３および引掻き部２６に回転式キャップ２５が確実に把持されるとともに、飲料容器２３の首部２８および当該首部２８に設けたタンパーエビデンスリング２４が、容器固定部１９の内周面に形成された固定用突起２０および引掻き部２７に確実に固定される。この結果、キャップ把持部１１および容器固定部１９が空回りすることがなくなり、より一層確実に飲料容器２３から回転式キャップ２５を取り外すことが可能となる。
【００３９】
そして、開栓後、本発明に係る回転式キャップ抜き具から飲料容器２３を取り外す際に、キャップ把持部１１に回転式キャップ２５を取り付けた際に収縮したバネ部材１７の反発力によって、押出し棒１５にキャップ把持部１１の凹部１２側に向かう力が作用するために、押出し棒１５によって回転式キャップ２５が凹部１２外へと押し出される。この結果、キャップ把持部１１の把持用突起１３および引掻き部２６に把持された回転式キャップ２５を容易に取り外すことが可能である。
【００４０】
さらに、バネ部材１７が回転軸５の先端に設けたストッパー部材１８と押出し棒１５との間に配設されているために、回転式キャップ２５を取り外す際に、バネ部材１７の反発力によって、押出し棒１５を凹部１２側に押し出すと同時に、ケース本体１の基端部側に移動したキャップ把持部１１をケース本体１の先端部側の初期位置へと移動させることが可能となる。
【００４１】
そして、案内筒６に形成された軸線方向に延在するガイド孔８に沿って、連結部９に突設されたガイドピン１０が移動可能であることにより、案内筒６内において、連結部９が軸線方向に移動自在に配設されているために、回転式キャップ２５を開栓する際に、回転式キャップ２５が飲料容器２３の首部の螺子部により上昇して、キャップ把持部１１にケース本体１の基端部方向に向かう力が作用しても、確実にキャップ把持部１１をケース本体１の基端部側へと移動させることが可能となる。
【００４２】
そして、キャップ把持部１１の凹部１２の口径が、先端面から基端面に向けて漸次狭くなるように形成されているために、回転式キャップ２５の外径が僅かながら大小しても、確実に回転式キャップ２５を把持することが可能である。
【００４３】
さらに、把持用突起１３の引掻き部２６は、断面視において、軸線方向に延在するために、外周に軸線方向に延在する滑り止め用突起が形成された回転式キャップ２５であっても、回転式キャップ２５の挿入の際、引掻き部２６が上記滑り止め用突起に引っ掛かることなく容易に回転式キャップ２５を挿入することが可能である。また、引掻き部２６は、端面視において、軸回り方向に６℃のピッチ間隔に形成されており、且つそれぞれの引掻き部２６が軸左回り方向に進むに連れて傾斜して構成されることにより、引掻き部２６の軸回り方向左側に段部２１が形成されているために、当該段部２１に上記滑り止め用突起が引っ掛かり、より一層確実に回転式キャップ２５を把持することが可能となる。この結果、空回りすることなく回転式キャップ２５を確実に取り外すことが可能となる。
【００４４】
そして、容器固定部１９の内径が、先端から中段に向けて漸次狭く、中段から基端に向けて漸次広くなるように形成されているために、中段部によりタンパーエビデンスリング２４を把持することが可能であるとともに、タンパーエビデンスリング２４の外径が僅かながら大小しても、確実にタンパーエビデンスリング２４を固定することが可能である。
【００４５】
さらに、固定用突起２０の引掻き部２７は、断面視において、水平方向に対し右斜め４５℃方向に延在しているために、タンパーエビデンスリング２４に開栓方向の力が作用すると、当該引掻き部２７にタンパーエビデンスリング２４が食い込む。そして、端面視において、軸回り方向に８℃のピッチ間隔に形成されており、且つそれぞれの引掻き部２７が軸右回り方向に進むに連れて傾斜して構成されていることにより、引掻き部２７の軸回り方向右側に段部２２が形成されているために、タンパーエビデンスリング２４の上記食い込み部が段部２２に引っ掛り、より一層確実にタンパーエビデンスリング２４を固定することが可能となる。
【符号の説明】
【００４６】
１  ケース本体
２  ギヤードモータ（モータ）
５  回転軸
６  案内筒
８  ガイド孔
９  連結部
１０  ガイドピン
１１  キャップ把持部
１２  凹部
１３  把持用突起
１４  貫通孔
１５  押出し棒
１７  バネ部材（付勢手段）
１９  容器固定部
２０  固定用突起
２３  飲料容器
２５  回転式キャップ
【図１】
2011162254.tif 000003
【図２】
2011162254.tif 000004
【図３】
2011162254.tif 000005
【図４】
2011162254.tif 000006